【事件の表示】
　特願２０１８−１０７６８９「両面透光である局所アルミニウム裏面電界を有する結晶シリコン太陽電池及びその製造方法」拒絶査定不服審判事件〔平成３０年１０月１１日出願公開、特開２０１８−１６０６８０〕について、次のとおり審決する。
【結　論】
　本件審判の請求は、成り立たない。
【理　由】
第１　手続の経緯
　本願は、平成２５年１０月２２日（パリ条約による優先権主張２０１３年９月２５日、中国）に出願した特願２０１６−５２２１８５号（以下「原出願」という。）の一部を平成３０年６月５日に新たな特許出願としたものであって、その後の手続の概要は、以下のとおりである。
　平成３１年　４月２５日付け：拒絶理由通知書 
　令和　元年　７月２２日　　：意見書、手続補正書の提出
　令和　元年　８月　２日付け：拒絶査定
　令和　元年１１月２７日　　：審判請求書の提出
　令和　２年　９月　９日付け：拒絶理由通知書
　令和　２年１１月１７日　　：意見書、手続補正書の提出
第２　本願発明
　本願の請求項１〜２に係る発明は、令和２年１１月１７日に提出された手続補正書により補正された特許請求の範囲の請求項１〜２に記載された事項により特定されるとおりのものであるところ、その請求項１に係る発明（以下「本願発明」という。）は以下のとおりのものである（下線部は、補正箇所として、請求人が付したものである。）。
「【請求項１】
　両面から光を受光及び吸収可能な、アルミニウムを含む局所裏面電界層を有する結晶シリコン太陽電池であって、
　シリコン基板と、
　前記シリコン基板のおもて面に設置されたエミッタ、反射低減のおもて面パッシベーション膜及びおもて面電極と、
　前記シリコン基板の裏面に設置された裏面パッシベーション膜、局所裏面電界層及び裏面電極と、を備えており、
　前記裏面パッシベーション膜上に孔又は溝が開けられ、
前記
前記
前記裏面パッシベーション膜はアルミニウムペーストで被覆されていない領域を有し、
第３　令和２年９月９日付けで通知した拒絶の理由
　当審において、令和２年９月９日付けで請求項１について通知した進歩性の拒絶の理由は、概ね以下のとおりである。
３．（進歩性）この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由３（進歩性）について
・請求項　１
・引用文献等　１
＜引用文献等一覧＞
　１．特開２００７−２１４３７２号公報
第４　当審の判断
　１　本願発明
　本願発明は、上記第２に記載されたとおりのものである。
　本願の請求項１に係る発明では、「前記分段方式裏面電極の分離部分は前記アルミニウムペーストで被覆されており」と特定されているところ、「前記アルミニウムペースト」と示される「アルミニウムペースト」は、前段には特定されていないが、本願の【００８４】及び図７の記載を参酌し、当該特定は、「分段方式裏面電極の分離部分がアルミニウムペーストで被覆されており」との構成を意味すると解し、
　また、請求項１における「溝が開けられ」及び「アルミニウムペーストで被覆され」との特定は、製造方法による特定であると認められるから、この特定は、ものの構成として、「溝が存在すること」及び「アルミニウムペーストが存在すること」を意味するものと解し、以下検討する。
　２　引用文献の記載及び引用文献に記載された発明
（１）引用文献に記載された事項
　原出願の優先日前に日本国内又は外国において頒布された刊行物である特開２００７−２１４３７２号公報（以下「引用文献１」という。）には、図面とともに、以下の事項が記載されている（下線は、当審にて付した。以下同じ。）。
「【００２５】
＜太陽電池の構造＞
　図１に示す本発明の太陽電池の一形態の断面図に基づいて、以下、その構造を説明する。」
「【００５８】
（実施例１）
　以下、図１、図７、図８に基づいて本実施例を説明する。
【００５９】
　テクスチャエッチングされた厚み１５０μｍ、１２５ｍｍ角のｐ型単結晶シリコン製の基板１の表面に、リンを含む塗布液を用い、９００℃で１０分間熱処理を行なうことにより、この基板１の受光面側に深さ約０．５μｍのｎ型の拡散層２を形成した。同時に、厚さ８０ｎｍの酸化チタン膜を形成して反射防止膜３とした。
【００６０】
　次に受光面の所定の位置に銀ペーストをスクリーン印刷法により、塗布、１５０℃で２分間乾燥させ、６５０℃で焼成し、厚さ数１０μｍの表面電極７を形成した。
【００６１】
　次に、基板の裏面にスクリーン法により、図７に示すような魚骨型状のパターンでアルミニウムペーストを７０μｍ塗布、１５０℃で２分間乾燥させ、７５０℃で焼成することで裏面電極５を形成し、同時にシリコン基板裏面の一部に、深さ約１０μｍのＢＳＦ層４が形成された。
【００６２】
　次に、基板の裏面にスクリーン法により、図８に示すようなパターンで低融点ペーストとしてはんだペーストを８０μｍ塗布し、１２０℃で２分間乾燥させた。続いて基板１の裏面にプラズマＣＶＤ法を用いて厚さ５０ｎｍの酸化シリコン膜を形成してパッシベーション膜８を形成した。
【００６３】
　パッシベーション膜８形成後、２２０℃で４分間熱処理することではんだペーストが溶解し、その表面を覆ったパッシベーション膜８を砕いて一緒に混ざりこみながら膜を突き抜け、表面に露出し、６０μｍのペースト電極９を形成した。基板１の裏面からの電力取り出しは、ペースト電極９に直接インターコネクタをはんだ付けして接続した。」
「【図１】
」
「【図７】
」
「【図８】
」
（２）引用文献１に記載された技術的な事項
　上記（１）より、引用文献１に記載された太陽電池は、以下の構成を有するものと認められる。
　ア　図７の記載から、「魚骨型状のパターン」は、いわゆる「線状のフィンガー電極」及び「バスバー電極」より形成される構成であることがみてとれる。
　イ　「ペースト電極９は」、「低融点ペースト」を熱処理することで形成される電極であるところ、図８から、当該「ペースト電極９」は、隣接する線状のフィンガー電極にわたり、かつ離散的に形成されていると、みてとれる。
（３）引用発明
　上記（１）及び（２）より、引用文献１には、以下の発明（以下、「引用発明」という。）が記載されているものと認められる。
「太陽電池であって、
　ｐ型単結晶シリコン製の基板１の表面に、ｎ型の拡散層２を形成し、酸化チタン膜を形成して反射防止膜３とし、受光面の所定の位置に表面電極７を形成し、
　基板の裏面に魚骨型状のパターンでアルミニウムペーストを塗布、乾燥させ、焼成することで裏面電極５を形成し、同時にシリコン基板裏面の一部に、ＢＳＦ層４が形成され、
　魚骨型状のパターンは、線状のフィンガー電極及びバスバー電極より形成される構成であり、
　裏面電極５上に、離散的に低融点ペーストを塗布し、
　基板１の裏面に酸化シリコン膜を形成してパッシベーション膜８を形成し、
　パッシベーション膜８形成後、熱処理することで、ペースト電極９を形成し、
　ペースト電極９は、隣接する線状のフィンガー電極にわたり、かつ離散的に形成されている、太陽電池。」
　３　対比
（１）引用発明の「基板１」は、「ｐ型単結晶シリコン製」であるから、本願発明の「シリコン基板」に相当し、
　引用発明の「太陽電池」は、「ｐ型単結晶シリコン製の基板１」に形成されていることから、本願発明の「結晶シリコン太陽電池」に相当する。
（２）引用発明の「ｎ型の拡散層２」は「ｐ型単結晶シリコン製の基板１の表面」に形成されていることから、本願発明の「シリコン基板のおもて面に設置されたエミッタ」に相当する。
（３）引用発明の「反射防止膜３」、「表面電極７」及び「パッシベーション膜８」は、それぞれ本願発明の「反射低減のおもて面パッシベーション膜」、「おもて面電極」及び「裏面パッシベーション膜」に相当する。
（４）引用発明の「ＢＳＦ層４」は、「基板の裏面に魚骨型状のパターンでアルミニウムペーストを塗布、乾燥させ、焼成することで裏面電極５を形成し、同時にシリコン基板裏面の一部に」形成されるものであるから、本願発明の「アルミニウムを含む局所裏面電界層」に相当する。
（５）引用発明の「裏面電極５」は、「基板の裏面に魚骨型状のパターン」で形成された「アルミニウムペースト」であり、「線状のフィンガー電極」を備えるものであって、当該「線状のフィンガー電極」が形成される領域には「ＢＳＦ層４」が形成されている。
　一方、本願発明の「線状アルミニウムペースト」は、ものの構成としてみると、「シリコン基板」に形成された「局所裏面電界層」に接して配置される「線状アルミニウムペースト」である。
　ここで、引用発明の「線状のフィンガー電極」と、本願発明の「線状アルミニウムペースト」との構成を対比してみれば、引用発明の「線状のフィンガー電極」は、本願発明の「線状アルミニウムペースト」に相当するといえる。
（６）引用発明の「基板の裏面」は、「魚骨型状のパターン」で形成された「裏面電極５」と「パッシベーション膜８」とに覆われているところ、当該構成からみれば、裏面からの光も太陽電池へ入射可能であることは明らかである。
　したがって、引用発明は、本願発明の「両面から光を受光及び吸収可能な」との特定を満たしているといえる。
（７）引用発明の「ペースト電極９」は、「裏面電極５上に、離散的に塗布」された「低融点ペースト」を「熱処理することで」形成したものであるから、その形状からみて、本願発明の「分段方式裏面電極」に相当するものであり、「シリコン基板の裏面に設置され」たものといえる。
　そして、当該「ペースト電極９」は、「隣接する線状のフィンガー電極にわた」る形状であるから、引用発明は、本願発明の「前記線状アルミニウムペーストに前記裏面電極として分段方式裏面電極が印刷されており」との構成を備えるといえる。
（８）引用発明の「パッシベーション膜８」は、「アルミニウムペースト」により形成された「線状のフィンガー電極」を覆って形成される膜であるから、当該「パッシベーション膜８」には、「線状のフィンガー電極」に対応する箇所に、溝が存在すると解され、当該溝部分には、線状のアルミニウムペーストが存在するものである。
　一方、上記１に説示のとおり、本願発明の「溝が開けられ」及び「アルミニウムペーストで被覆され」との特定は、製造方法による特定であり、ものの構成としては、「溝が存在すること」及び「溝部分にアルミニウムペーストが存在すること」を意味するものと解される。
　したがって、引用発明の「パッシベーション膜８」は、本願発明の「裏面パッシベーション膜上に溝が開けられ」との構成を備え、「溝が開けられた領域は線状アルミニウムペーストで被覆され」との構成を満たすといえる。
（９）引用発明の「ペースト電極９」は、「裏面電極５上に、離散的に」形成されていることから、「ペースト電極９」の分離部分には、「裏面電極５」が存在し、当該「裏面電極５」は、「アルミニウムペースト」により形成されたものである。
　してみると、引用発明において、「ペースト電極９」の分離部分には、「アルミニウムペースト」が存在すると理解できる。
　一方、本願発明の「分段方式裏面電極」の「分離部分」は、「前記アルミニウムペーストで被覆され」と特定されているところ、上記１に説示のとおり、当該特定は、「分離部分」に「アルミニウムペーストが存在すること」を意味するものと解される。
　したがって、引用発明は、本願発明の「分段方式裏面電極の分離部分が前記アルミニウムペーストで被覆されており」との構成を備えるといえる。
（１０）引用発明の「裏面電極５」は、「基板の裏面に魚骨型状のパターン」で、「アルミニウムペースト」により形成されたものであり、引用発明の「パッシベーション膜８」は、「基板１の裏面に酸化シリコン膜」により形成されたものである。
　そして、「裏面電極５」の形状が「魚骨型状のパターン」であることに鑑みれば、「裏面電極５」と「パッシベーション膜８」とが接触している領域は、「パッシベーション膜８」の「全て」ではなく「一部」である理解できる。
　言い換えれば、引用発明の「パッシベーション膜８」は、「裏面電極５（アルミニウムペースト）」と接触していない領域を有するということができる。
　そして、上記１に説示のとおり、本願発明の「アルミニウムペーストで被覆され」との特定は、「アルミニウムペーストが存在すること」を意味するものと解されるから、引用発明は、本願発明の「前記裏面パッシベーション膜はアルミニウムペーストで被覆されていない領域を有し」との構成を有するといえる。
（１１）引用発明の「ＢＳＦ層４」は「アルミニウムペースト」を「焼成することで」「シリコン基板裏面の一部に」「形成され」る層であるから、本願発明の「焼成後に溝が開けられた領域に前記局所裏面電界層が形成され」との構成を満たすといえる。
（１２）引用発明の「ＢＳＦ層４」は「裏面電極５」を介して「ペースト電極９」と電気的に接続されている。
　したがって、引用発明は、本願発明の「前記局所裏面電界層と前記裏面電極とが連通されている」との構成を満たしているといえる。
　以上、（１）〜（１２）のとおりであるから、本願発明と引用発明との「一致点」及び「相違点」は、以下のとおりである。
＜一致点＞
「両面から光を受光及び吸収可能な、アルミニウムを含む局所裏面電界層を有する結晶シリコン太陽電池であって、
　シリコン基板と、
　前記シリコン基板のおもて面に設置されたエミッタ、反射低減のおもて面パッシベーション膜及びおもて面電極と、
　前記シリコン基板の裏面に設置された裏面パッシベーション膜、局所裏面電界層及び裏面電極と、を備えており、
　前記裏面パッシベーション膜上に溝が開けられ、前記溝が開けられた領域は線状アルミニウムペーストで被覆され、前記線状アルミニウムペーストに前記裏面電極として分段方式裏面電極が印刷されており、前記分段方式裏面電極の分離部分は前記アルミニウムペーストで被覆されており、前記裏面パッシベーション膜はアルミニウムペーストで被覆されていない領域を有し、焼成後に溝が開けられた領域に前記局所裏面電界層が形成され、前記局所裏面電界層と前記裏面電極とが連通されている、結晶シリコン太陽電池。」
＜相違点＞
　本願発明は、「隣接する前記線状アルミニウムペースト同士は平行ではなく所定の夾角を有して」いるのに対して、引用発明では、特定されていない点。
　４　判断
　上記相違点について、本願発明の「線状アルミニウムペースト」は、いわゆる「フィンガー電極」と呼称される電極と解され、太陽電池の表面を覆いつつ光を透過する機能を奏する電極であり、一般的には「平行」に形成されている。
　ここで、本願の発明の詳細な説明の記載を参酌するに、「本発明の孔又は溝は互いに平行であってもよく、互いに平行でなくてもよい。例えば、所定の夾角で設置してもよい。好ましくは孔又は溝を互いに平行に設置すること。」（【００２７】）、「［実施例５］　図６に示すように、実施例１〜４と異なるのは、裏面パッシベーション膜（１）の孔又は溝（２）であり、孔又は溝（２）は平行に設置せず、隣接の孔又は溝（２）間に所定の夾角を有してもよい。同様に、孔又は溝（２）が被覆された隣接の線状アルミニウムペースト（３）は平行に設置せず、所定の夾角を有してもよい。」（【００８３】）と記載されており、「所定の夾角を有して」いることについて、その技術的意義は記載されてはいない。
　そして、上記「フィンガー電極」に求められる機能を著しく損なわない程度において、その形状や構造に設計変更の余地があることは技術常識（例えば、下記文献。）であるから、引用発明の「魚骨型状のパターン」で形成された「裏面電極５」において、いわゆる「フィンガー電極」に相当する「平行な骨部」を、「所定の夾角を有する」形状として構成することは、当業者が適宜なし得る設計変更の範疇にある構成と判断される。
　また、「平行」にすることに比べて、単に平行にしないということは、製造にあたって高度な制御を必要としないということに過ぎない。
　よって、本願発明は、引用発明から、当業者が容易になし得たものである。
＜技術常識を示す文献、及び記載事項＞
・国際公開第２０１２／１１１１０８号
　「さらに、本実施の形態のグリッド電極１３は、受光面に複数本が平行に形成されているが、グリッド電極１３は平行でないものでもよく、受光面に複数本が形成されている太陽電池セルであれば適用することができる。」（［００４２］）
５　審判請求人の主張について
　審判請求人は、令和２年１１月１７日提出の意見書にて、
（１）引用文献１には、裏面からも受光することにより、光電変換効率を向上させるという技術思想は記載されていない旨（意見書の第２頁、２−３「理由３について」、第２頁〜第３頁にかけて）、
（２）引用文献１には、隣接する前記線状アルミニウムペースト同士が平行ではなく所定の夾角を有しており、前記裏面電極が分段方式裏面電極であり、分段方式裏面電極の分離部分が線状アルミニウムペーストで被覆されている構成が記載されていない旨（意見書の第３頁第２行〜第４行）、
　を主張している。
　しかしながら、以下のとおりであるから、審判請求人の主張は、上記判断を左右するものではない。
　上記（１）について、上記３の（６）のとおり、引用発明の裏面電極５は魚骨形状であるから、光が入射可能な領域を有しており、当該領域は、薄い（実施例では５０ｎｍ）パッシベーション膜８で覆われるのみである。
　したがって、引用発明は、シリコン基板の裏面から「光を受光及び吸収可能」な構成を備えるものといえる。
　上記（２）について、上記３の（７）及び（９）のとおり、引用発明は「分段方式裏面電極」及び「分段方式裏面電極の分離部分を被覆するアルミニウムペースト」の構成を備えている。
　また、上記４のとおり、「線状アルミニウムペースト同士が平行ではなく所定の夾角を有して」いる構成は、当業者が適宜なし得る設計的な事項が特定されるに過ぎず、その効果も格別のものではない。
第５　むすび
　以上のとおり、本件発明は、引用発明に基づいて、原出願の優先日にその発明の属する技術の分野における通常の知識を有する者が容易に発明をすることができたものであるから、特許法２９条２項の規定により特許を受けることができない。
　したがって、他の請求項に係る発明について検討するまでもなく、本願は拒絶すべきものである。
　よって、結論のとおり審決する。